(57)【特許請求の範囲】
【請求項１】
壁面材を有してなる一対の壁パネルが互いの壁面材を対向させて設けられ、それら各壁パネルの間には壁内断熱材が設けられており、該壁内断熱材は、その少なくとも一部が前記各壁パネルの間に圧縮された状態で挟み込まれており、
前記各壁パネルのうち少なくともいずれかは内壁パネルであり、該内壁パネルは、前記壁面材としての内壁面材を床面材と天井面材との間に配置した状態で、前記床面材上に載置されて設置されている建物の内壁パネル設置構造であり、
前記内壁パネルの上端部には、前記内壁面材からその裏面側に延出し、一部が前記天井面材及び天井下地材を有する天井部に対して係止される上係止部が設けられ、
前記内壁パネルの下端部には、前記内壁面材からその裏面側に延出し、一部が前記床面材及び床下地材を有する床部に対して係止される下係止部が設けられ、
前記上係止部が前記天井部に係止され、かつ、前記下係止部が前記床部に係止されることにより、前記内壁パネルについて前記内壁面材の表面側である屋内空間側への移動が規制されていることを特徴とする建物の内壁パネル設置構造。
【請求項２】
前記上係止部は、前記内壁面材の上端よりも上方に突出する上突出部を有し、
前記下係止部は、前記内壁面材の下端よりも下方に突出する下突出部を有し、
前記上突出部が前記天井面材に係止され、かつ、前記下突出部が前記床面材に係止されることで、前記内壁パネルについて前記屋内空間側への移動が規制されていることを特徴とする請求項１に記載の建物の内壁パネル設置構造。
【請求項３】
前記上突出部は、前記天井面材の端部に係止されるものであり、
前記下突出部は、前記床面材の端部に係止されるものであり、
前記各係止部のうち少なくともいずれかは、前記内壁面材の幅方向に延びる長尺状をなしており、その長手方向に沿って前記上突出部又は前記下突出部が連続して形成されており、該連続形成された前記上突出部又は前記下突出部が、前記天井面材又は前記床面材の端部に沿って当接していることを特徴とする請求項２に記載の建物の内壁パネル設置構造。
【請求項４】
前記内壁パネルは、前記内壁面材の裏面側に設けられ、横桟及び縦桟からなる内壁フレームを備え、
前記上係止部は、前記内壁フレームのフレーム上端部の横桟により構成され、
前記下係止部は、前記内壁フレームのフレーム下端部の横桟により構成されていることを特徴とする請求項１乃至３のいずれか一項に記載の建物の内壁パネル設置構造。
【請求項５】
前記壁内断熱材は、その一部が前記内壁パネルの前記各係止部の間に入り込んだ状態で設けられ、その上端部が前記上係止部に接触しかつその下端部が前記下係止部に接触する上下長さを有しており、
前記内壁パネルを含む前記一対の壁パネルのうちいずれか一方には、当該一方の壁パネルの壁面材から前記壁内断熱材の上端部及び下端部のうち少なくともいずれかに向けて突出し、他方の壁パネルとの間に前記壁内断熱材を圧縮状態で挟み込む断熱材端部挟み込み部材が設けられていることを特徴とする請求項１乃至４のいずれか一項に記載の建物の内壁パネル設置構造。
【発明の詳細な説明】
【技術分野】
【０００１】
本発明は、建物の内壁パネル設置構造に関する。
【背景技術】
【０００２】
建物の外壁構造として、屋外側に外壁パネルが設けられ、その屋内側に内壁パネルが設けられる構造が知られている（例えば、特許文献１）。かかる構造では、例えば外壁パネルが、外壁面材とその裏面（屋内側面）に設けられる外壁フレームとを有して構成され、内壁パネルが、内壁面材とその裏面（屋外側面）に設けられる内壁フレームとを有して構成される。この場合、内壁パネルは、床面材と天井面材との間に配置されて、床面材上に載置された状態で設置されることが多い。
【０００３】
この種の外壁構造では、断熱性能を確保すべく、対向配置された外壁パネルと内壁パネルとの間に壁内断熱材が設けられるのが一般的である。この場合、壁内断熱材は、例えば内壁パネルに一体に設けられ、具体的には内壁パネルの内壁フレームの枠内部に組み込まれて設けられる。
【先行技術文献】
【特許文献】
【０００４】
【特許文献１】特開２００８−１１５６３７号公報
【発明の概要】
【発明が解決しようとする課題】
【０００５】
近年、省エネルギの観点等から外壁構造において高断熱性が求められており、そのため壁内断熱材としては厚みの大きいものが用いられる傾向にある。ここで、厚みの大きい壁内断熱材を用いる場合には、内壁フレームに組み込まれた壁内断熱材の一部が屋外側の外壁フレームまで達し同フレームと干渉する場合がありうる。その場合、壁内断熱材は、その一部が外壁フレームと内壁面材との間に圧縮されて挟み込まれた状態で設けられることとなる。
【０００６】
ところで、内壁パネルを設置する際には、その作業性の観点からすると、内壁パネルを所定の設置位置において床面材上に自立させ、その自立状態で内壁パネルを外壁パネルの外壁フレーム等に固定することが望ましい。しかしながら、上述の構成では、内壁パネルを所定の設置位置に配置すると、壁内断熱材の一部が外壁フレームと内壁面材との間で圧縮され、その圧縮された壁内断熱材の反発力により内壁面材ひいては内壁パネルが屋内側に押圧されることが想定される。その場合、内壁パネルを所定の設置位置に自立させることが困難となり、内壁パネルの設置に際し、内壁パネルを壁内断熱材の反発力に抗して屋外側に押し付けながら同パネルの固定作業を行うといった面倒な作業が発生するおそれがある。また、場合によっては一人の作業者が内壁パネルを屋外側に押し付けつつ、もう一人の作業者が内壁パネルの固定作業を行うといった大掛かりな作業となる可能性もある。よって、上記の構成は、内壁パネルの設置作業に際しその作業性の面で改善の余地があるといえる。
【０００７】
本発明は、上記事情に鑑みてなされたものであり、内壁パネルの設置作業において作業性の改善を図ることができる建物の内壁パネル設置構造を提供することを主たる目的とするものである。
【課題を解決するための手段】
【０００８】
上記課題を解決すべく、第１の発明の建物の内壁パネル設置構造は、壁面材を有してなる一対の壁パネルが互いの壁面材を対向させて設けられ、それら各壁パネルの間には壁内断熱材が設けられており、該壁内断熱材は、その少なくとも一部が前記各壁パネルの間に圧縮された状態で挟み込まれており、前記各壁パネルのうち少なくともいずれかは内壁パネルであり、該内壁パネルは、前記壁面材としての内壁面材を床面材と天井面材との間に配置した状態で、前記床面材上に載置されて設置されている建物の内壁パネル設置構造であり、前記内壁パネルの上端部には、前記内壁面材からその裏面側に延出し、一部が前記天井面材及び天井下地材を有する天井部に対して係止される上係止部が設けられ、前記内壁パネルの下端部には、前記内壁面材からその裏面側に延出し、一部が前記床面材及び床下地材を有する床部に対して係止される下係止部が設けられ、前記上係止部が前記天井部に係止され、かつ、前記下係止部が前記床部に係止されることにより、前記内壁パネルについて前記内壁面材の表面側である屋内空間側への移動が規制されていることを特徴とする。
【０００９】
内壁パネルと、その内壁パネルに対向する壁パネルとの間に壁内断熱材が設けられ、その壁内断熱材の少なくとも一部がそれら各壁パネルの間に圧縮されて挟み込まれる構成では、内壁パネルを設置する際に、内壁パネルを所定の設置位置において床面材上に載置すると、壁内断熱材が各壁パネル間で圧縮され、その圧縮された壁内断熱材の反発力により内壁パネルが内壁面材の表面側である屋内空間側に押圧されることが考えられる。そのため、内壁パネルを自立させることが困難となるおそれがある。この点、本発明では、内壁パネルにおいて、上端部に設けられた上係止部を天井部に係止させ、かつ、下端部に設けられた下係止部を床部に係止させることにより、内壁パネルの屋内空間側への移動を規制することができる。そのため、内壁パネルが壁内断熱材の反発力により屋内空間側に押圧されているにもかかわらず、内壁パネルが屋内空間側に倒れ込むのを抑制でき、その結果内壁パネルを所定の設置位置において自立させることが可能となる。これにより、内壁パネルを自立させた状態で内壁パネルの固定作業を行うことができ、その結果内壁パネルの設置作業に際し作業性の改善を図ることができる。
【００１０】
第２の発明の建物の内壁パネル設置構造は、第１の発明において、前記上係止部は、前記内壁面材の上端よりも上方に突出する上突出部を有し、前記下係止部は、前記内壁面材の下端よりも下方に突出する下突出部を有し、前記上突出部が前記天井面材に係止され、かつ、前記下突出部が前記床面材に係止されることで、前記内壁パネルについて前記屋内空間側への移動が規制されていることを特徴とする。
【００１１】
本発明では、内壁パネルの上下に隣接する天井面材及び床面材にそれぞれ各係止部の突出部を係止させる構成としている。この場合、各突出部をそれぞれ内壁パネルの上下端部から上方及び下方に大きく突出させる必要がないため、内壁パネルに各係止部（詳しくは各突出部）を設ける構成において下係止部（詳しくは下突出部）の下端から上係止部（詳しくは上突出部）の上端までの上下高さが大きくなるのを抑制できる。これにより、内壁パネルの設置作業に際し、内壁パネルの取り回しが煩雑となるのを抑制できる。
【００１２】
第３の発明の建物の内壁パネル設置構造は、第２の発明において、前記上突出部は、前記天井面材の端部に係止されるものであり、前記下突出部は、前記床面材の端部に係止されるものであり、前記各係止部のうち少なくともいずれかは、前記内壁面材の幅方向に延びる長尺状をなしており、その長手方向に沿って前記上突出部又は前記下突出部が連続して形成されており、該連続形成された前記上突出部又は前記下突出部が、前記天井面材又は前記床面材の端部に沿って当接していることを特徴とする。
【００１３】
本発明によれば、上係止部の上突出部が天井面材の端部に係止され、かつ、下係止部の下突出部が床面材の端部に係止されることにより、内壁パネルの屋内側への移動が規制される。この場合、天井面材及び床面材にそれぞれ上突出部及び下突出部を挿し入れ係止させるための孔部（貫通孔部）等を加工形成しなくても、内壁パネルの屋内空間側への移動を規制できる。そのため、比較的簡素な構成で第２の発明の効果を得ることができる。
【００１４】
また、内壁パネルが、壁内断熱材により屋内空間側に押圧されつつ各突出部により屋内空間側への移動が規制されている第２の発明の構成では、各突出部がそれぞれ天井面材及び床面材に押し付けられた状態で当接されており、その結果各突出部がそれぞれ天井面材及び床面材に密着された状態となっている。そこで、本発明では、この点に着目し、各係止部のうち少なくともいずれかを内壁面材の幅方向に沿った長尺状とするとともに、その長手方向に沿って上突出部又は下突出部を連続して形成している。そして、この連続形成した上突出部又は下突出部を、一般に長尺状をなして形成されている天井面材の端部又は床面材の端部に沿って当接させている。この場合、上突出部と天井面材端部とを、又は、下突出部と床面材端部とを内壁面材の幅方向に沿って連続して密着させることができるため、内壁面材の上端部と天井面材との間又は内壁面材の下端部と床面材との間を通じた空気の出入りを抑制できる。よって、この場合気密性を高めることができる。
【００１５】
ところで、内壁面材が床面材と天井面材との間に配置される構成では、内壁パネルの設置作業をし易くするために、内壁面材の上下高さを床面材と天井面材との間の離間距離（つまり床面から天井面までの天井高さ）よりも小さくして形成することが考えられる。その場合、内壁パネルを床面材上に載置した状態で設置すると、内壁面材の上端部と天井面材との間に隙間が発生し、その隙間を通じて空気の出入りが生じることが想定される。この点を鑑みると、特に、各係止部のうち上係止部（上突出部）に対して本発明を適用することが望ましいといえる。
【００１６】
第４の発明の建物の内壁パネル設置構造は、第１乃至第３のいずれかの発明において、前記内壁パネルは、前記内壁面材の裏面側に設けられ、横桟及び縦桟からなる内壁フレームを備え、前記上係止部は、前記内壁フレームのフレーム上端部の横桟により構成され、前記下係止部は、前記内壁フレームのフレーム下端部の横桟により構成されていることを特徴とする。
【００１７】
本発明によれば、各係止部が内壁フレームの横桟により構成されているため、各係止部を横桟とは別の部材により構成する場合と比べ、構成の簡素化を図ることができる。また、横桟は内壁パネルの幅方向に延びているため、係止部において天井部又は床部に係止される部分を内壁パネルの幅方向に沿って連続又は分散して形成する際には都合がよい。
【００１８】
第５の発明の建物の内壁パネル設置構造は、第１乃至第４のいずれかの発明において、前記壁内断熱材は、その一部が前記内壁パネルの前記各係止部の間に入り込んだ状態で設けられ、その上端部が前記上係止部に接触しかつその下端部が前記下係止部に接触する上下長さを有しており、前記内壁パネルを含む前記一対の壁パネルのうちいずれか一方には、当該一方の壁パネルの壁面材から前記壁内断熱材の上端部及び下端部のうち少なくともいずれかに向けて突出し、他方の壁パネルとの間に前記壁内断熱材を圧縮状態で挟み込む断熱材端部挟み込み部材が設けられていることを特徴とする。
【００１９】
例えば、内壁パネルにおける高さ方向の中間高さ（以下、略して中間部という）において壁内断熱材が当該内壁パネルとそれに対向する壁パネルとの間に圧縮状態で挟み込まれている構成では、内壁パネルはその上下端部において各係止部により屋内空間側への移動が規制されつつ、中間部において壁内断熱材の反発力により屋内空間側へ押圧される状態となるため、内壁パネルの中間部が屋内空間側にたわむことが想定される。この場合、そのたわみに伴って上係止部が下方に位置ずれし天井部への係止状態が解除されたり、又は下係止部が上方に位置ずれし床部への係止状態が解除されたりするおそれがあり、内壁パネルを自立させることが困難となる可能性がある。
【００２０】
そこで、本発明では、この点に鑑みて、内壁パネルを含む一対の壁パネルのうちいずれか一方に、壁内断熱材の上下端部のうち少なくともいずれかに向けて突出する断熱材端部挟み込み部材を設け、この挟み込み部材と他方の壁パネルとの間で壁内断熱材を圧縮する構成としている。この場合、壁内断熱材の反発力を上係止部付近又は下係止部付近で発生させることができ、その反発力により内壁パネルを上係止部付近又は下係止部付近で屋内空間側に押圧することができる。これにより、上係止部を天井部に押し付ける押し付け力又は、下係止部を床部に押し付ける押し付け力を高めることができ、その結果上係止部又は下係止部の上記位置ずれを抑制する効果が期待できる。
【００２１】
また、第３の発明と第５の発明とを併せ持つ構成とすれば、上突出部と天井面材端部との密着性、又は下突出部と床面材端部との間の密着性を高めることができるため、気密効果をより一層高めることが可能となる。
【図面の簡単な説明】
【００２２】
【図１】建物における外壁構造及びその周辺の構成を示す縦断面図。
【図２】外壁構造の構成を示す横断面図。
【図３】（ａ）が内壁パネルの構成を示す側面図、（ｂ）が同構成を示す背面図。
【図４】内壁ユニットの設置手順を説明するための説明図。
【図５】上側横フレーム材の別形態を示す斜視図。
【図６】中間フレーム材に挟み込み部材を設けた構成を示す縦断面図。
【図７】上突出部に配線挿通部を設けた構成を示す斜視図。
【発明を実施するための形態】
【００２３】
以下に、本発明を具体化した一実施の形態について図面を参照しつつ説明する。本実施形態では、建物としてユニット式建物について具体化しており、そのユニット式建物は、梁及び柱よりなる複数の建物ユニットを互いに連結することで構成されている。なお、図１は建物における外壁構造及びその周辺の構成を示す縦断面図であり、図２は外壁構造の構成を示す横断面図である。また、図２は、図１のＡ−Ａ線断面図である。
【００２４】
図１に示すように、建物１０には、床梁１４の上面に床根太１５が設けられ、床根太１５上には床面２６を形成する床面材１６が設けられている。床面材１６は、例えばパーティクルボードにより構成されている。天井梁１７の下面には野縁１８が固定されており、野縁１８の下面には天井面２９を形成する天井面材１９が固定されている。天井面材１９は、例えば２枚重ねの石膏ボードにより構成されている。
【００２５】
建物１０の外周部には、外壁パネル２０が設けられている。外壁パネル２０は、屋外面を形成する外壁材２１と、外壁材２１の裏面側（屋内面側）に固定された外壁フレーム２２とを備えている。外壁材２１は、例えば窯業系サイディング等の外装材により形成されている。なおここで、外壁パネル２０が壁パネルに相当する。
【００２６】
外壁フレーム２２は、断面コ字状の軽量鉄骨材からなる複数のフレーム材２２ａ〜２２ｃが矩形枠状に連結されることにより構成されている。具体的には、外壁フレーム２２は、外壁材２１の幅方向両端部において上下方向に延びる縦フレーム材２２ａと、外壁材２１の上下方向両端部において左右方向（外壁材２１の幅方向）に延びる横フレーム材２２ｂと、外壁材２１の上下方向中間部において左右方向に延びる中間フレーム材２２ｃとを有している。なお、詳細には、これら各フレーム材２２ａ〜２２ｃのうち縦フレーム材２２ａについては、天井梁１７、床梁１４及び後述する内壁ユニット３０の内壁フレーム３２（詳細には横フレーム材３２ｂ，３２ｃ）との干渉を回避すべく上下方向両端側の一部が取り除かれている。
【００２７】
外壁フレーム２２の各横フレーム材２２ｂは、それぞれ床梁１４及び天井梁１７に対してボルト等により固定されており。これにより、外壁パネル２０が建物１０に対し固定されている。また、図２に示すように、外壁パネル２０は建物１０の外周部において横並びに複数設置されており、隣り合う外壁パネル２０の外壁フレーム２２（詳細には縦フレーム材２２ａ）同士が当接された状態でボルト等により連結されている。
【００２８】
外壁フレーム２２の屋内側面には、複数の木レンガ２５がタッピングネジ等により固定されている。これら木レンガ２５の屋内側面には、内壁ユニット３０が固定されている。以下、この内壁ユニット３０の構成について図３に基づいて説明する。なお、図３は内壁ユニット３０の構成を示しており、（ａ）が同構成を示す側面図、（ｂ）が背面図である。
【００２９】
図３に示すように、内壁ユニット３０は、屋内面を形成する内壁材３１と、内壁材３１の裏面側（屋外面側）に固定された内壁フレーム３２と、内壁フレーム３２の枠内部に組み込まれた壁内断熱材３３とを備えている。なおここで、内壁材３１が内壁面材に相当するものであり、内壁材３１及び内壁フレーム３２により内壁パネルが構成されている。内壁材３１は、例えば石膏ボードにより形成されている。
【００３０】
内壁フレーム３２は、木製の角材からなる複数のフレーム材３２ａ〜３２ｃが矩形枠状に連結されることにより構成されており、内壁材３１と略同じ大きさ（縦横寸法）で形成されている。内壁フレーム３２は、内壁材３１の幅方向両端部において上下方向（高さ方向）に延びる縦フレーム材３２ａと、内壁材３１の上下方向両端部において横方向に延びる横フレーム材３２ｂ，３２ｃと、内壁材３１の幅方向中間部において上下方向に延びる中間フレーム材３２ｄとを有している。より詳しくは、各横フレーム材３２ｂ，３２ｃは内壁材３１の幅方向全域に延びるように形成されており、それら各横フレーム材３２ｂ，３２ｃの間に縦フレーム材３２ａ及び中間フレーム材３２ｄがそれぞれ掛け渡されることにより内壁フレーム３２が構成されている。この場合、内壁フレーム３２には、これら各フレーム材３２ａ〜３２ｄにより囲まれた２つの枠内領域３５が形成されている。
【００３１】
なお、詳細は後述するが、本実施形態では内壁フレーム３２において、横フレーム材３２ｂ，３２ｃの厚み（内壁材３１の厚み方向（換言すると屋内外方向）における長さ）が縦フレーム材３２ａ及び中間フレーム材３２ｄ（これら各フレーム材３２ａ，３２ｄの厚みは略同じ）の厚みよりも大きくなっている。
【００３２】
壁内断熱材３３は、グラスウール等の繊維系断熱材からなり、所定の厚みを有した矩形板状に形成されている。具体的には、壁内断熱材３３は、内壁フレーム３２の枠内領域３５と略同じ大きさ（縦横寸法）を有し、かつ、内壁フレーム３２の縦フレーム材３２ａ及び中間フレーム材３２ｄの厚み（屋内外方向の長さ）よりも大きい厚みを有して形成されている。壁内断熱材３３は、各フレーム材３２ａ〜３２ｄの内側面との隙間がなく、かつ、内壁材３１の裏面に当接された状態で、内壁フレーム３２の上記２つの枠内領域３５内にそれぞれ配設されており、その配設状態において一部が内壁フレーム３２の縦フレーム材３２ａ及び中間フレーム材３２ｄよりも内壁材３１とは反対側（すなわち屋外側）にはみ出している。なお、このはみ出し部分を以下はみ出し部３３ａという。
【００３３】
図１及び図２の説明に戻り、内壁ユニット３０は、少なくとも内壁材３１（詳しくは内壁ユニット３０において各横フレーム材３２ｂ，３２ｃの突出領域３９，４３（その内容は後述）を除く部分）が床面材１６と天井面材１９との間に配置されて床面材１６上に載置された状態で設置されている。内壁ユニット３０は、内壁フレーム３２の縦フレーム材３２ａ及び中間フレーム材３２ｄが木レンガ２５の屋内側面にタッピングネジ等により取り付けられることで固定されている。また、内壁ユニット３０は、その幅方向において横並びに複数設けられている。
【００３４】
内壁ユニット３０において内壁材３１の高さ寸法ｈ１は床面２６から天井面２９までの高さ寸法Ｈ（以下、天井高さＨという）よりも小さく設定されている（ｈ１＜Ｈ）。そのため、床面材１６と天井面材１９との間に内壁材３１を配設する際、その設置作業がし易くなっている。また、内壁ユニット３０の設置状態では、内壁材３１の上端部と天井面材１９との間に所定の隙間４５が形成され、この隙間４５の上下高さはＨ−ｈ１となる。
【００３５】
内壁ユニット３０が木レンガ２５に固定された状態では、外壁フレーム２２の中間フレーム材２２ｃが壁内断熱材３３の高さ方向における中間位置に配設されている。中間フレーム材２２ｃは、その溝開口を下方に向けた状態で設けられており、その屋内側フランジ部と内壁材３１との間の離間距離（内寸）が壁内断熱材３３の厚み（屋内外方向の長さ）よりも小さくなっている。そのため、壁内断熱材３３は、その一部が中間フレーム材２２ｃ（詳しくは屋内側フランジ部）と内壁材３１との間に圧縮された状態で挟み込まれており、これにより、圧縮状態にある壁内断熱材３３の反発力により内壁材３１ひいては内壁ユニット３０全体が屋内側に押圧された状態となっている。
【００３６】
ところで、上述の構成では、内壁ユニット３０を設置するに際し、同ユニット３０を所定の設置位置にて床面材１６上に載置すると、壁内断熱材３３の一部が内壁材３１と中間フレーム材２２ｃとの間に圧縮状態で挟み込まれ、その圧縮された壁内断熱材３３の反発力により内壁ユニット３０が屋内側に押圧されることが想定される。その場合、内壁ユニット３０を自立させることが困難となり、内壁ユニット３０を木レンガ２５の側に押し付けながら固定するといった面倒な作業が発生しうる。そこで、本実施形態では、この点に鑑みて、内壁ユニット３０を床面材１６上に載置した状態で、内壁ユニット３０が屋内側へ移動するのを規制する規制構造を同ユニット３０に設けることとしている。これにより、内壁ユニット３０が壁内断熱材３３により屋内側に押圧されつつも、同ユニット３０が屋内側へ移動するのが規制され、その結果内壁ユニット３０を所定の設置位置にて自立させることが可能となっている。以下、かかる規制構造について説明する。
【００３７】
図３に示すように、内壁フレーム３２において各横フレーム材３２ｂ，３２ｃは、上述したように、その厚み（内壁材３１の厚み方向における長さ）が縦フレーム材３２ａ及び中間フレーム材３２ｄの厚みよりも大きくなっている。各横フレーム材３２ｂ，３２ｃは、その内壁材３１側の面（屋内側面）が各フレーム材３２ａ，３２ｄの内壁材３１側の面（屋内側面）と位置合わせされた状態で、各フレーム材３２ａ，３２ｄに連結されており、かかる連結状態においてその一部がそれらのフレーム材３２ａ，３２ｄよりも内壁材３１とは反対側（屋外側）に延出している。
【００３８】
上側横フレーム材２３ｂにおいて内壁材３１とは反対側の端部（屋外側端部）には、内壁材３１の上端よりも上方に突出する上突出部３８が設けられている。上突出部３８は、内壁材３１の上端からの突出高さｈ３（詳しくは内壁材３１の上端から上突出部３８の上端までの上下高さ）が上記隙間４５の上下高さＨ−ｈ１よりも大きくなっている。上突出部３８は、上側横フレーム材３２ｂの長手方向に沿って延びるように形成されており、詳しくは同フレーム材３２ｂの長手方向全域（つまりは内壁材３１の幅方向全域）に連続して形成されている。
【００３９】
また、この場合、上側横フレーム材３２ｂは、その厚み方向において、上突出部３８が設けられていることで上下幅が比較的大きくなっている突出領域３９と、上突出部３８が設けられていないことで上下幅が比較的小さくなっている非突出領域４０とを有しており、これら各領域３９，４０により略Ｌ字状をなして形成されている。そして、上側横フレーム材３２ｂは、非突出領域４０の上端部が内壁材３１の上端部と位置合わせされた状態で内壁材３１の裏面に設けられている。
【００４０】
下側横フレーム材３２ｃにおいて内壁材３１とは反対側の端部（屋外側端部）には、内壁材３１の下端よりも下方に突出する下突出部４２が設けられている。下突出部４２は、内壁材３１の下端からの突出高さｈ４（詳しくは下突出部４２の下端から内壁材３１の下端までの上下高さ）が、上突出部３８の突出高さｈ３よりも小さくなっており、例えば１ｍｍとなっている。下突出部４２は、下側横フレーム材３２ｃの長手方向に沿って延びるように形成されており、詳しくは同フレーム材３２ｃの長手方向全域（つまりは内壁材３１の幅方向全域）に連続して形成されている。
【００４１】
また、この場合、下側横フレーム材３２ｃは、その厚み方向において、下突出部４２が設けられていることで上下幅が比較的大きくなっている突出領域４３と、下突出部４２が設けられていないことで上下幅が比較的小さくなっている非突出領域４４とを有しており、これら各領域４３，４４により略Ｌ字状をなして形成されている。そして、下側横フレーム材３２ｃは、非突出領域４４の下端部が内壁材３１の下端部と位置合わせされた状態で内壁材３１の裏面に設けられている。
【００４２】
図１に示すように、内壁ユニット３０は、内壁材３１の下端部及び内壁フレーム３２の下側横フレーム材３２ｃ（詳しくはその非突出領域４４）が床面材１６上に載置された状態で設置されている。かかる内壁ユニット３０の設置状態では、下突出部４２が床面材１６の端部よりも屋外側に配置されて同端部に屋外側から当接しており、上突出部３８が天井面材１９の端部よりも屋外側に配置されて同端部に屋外側から当接している。すなわち、この場合、下突出部４２が床面材１６の端部に係止され、かつ、上突出部３８が天井面材１９の端部に係止されており、これにより、内壁ユニット３０が、壁内断熱材３３の反発力により屋内側へ押圧されつつも、屋内側への移動が規制された状態となっている。
【００４３】
また、かかる規制状態において内壁ユニット３０は屋内側に押圧されているため、上突出部３８が天井面材１９の端部に押し付けられた状態で当接し、下突出部４２が床面材１６の端部に押し付けられた状態で当接している。この場合、上突出部３８及び下突出部４２はそれぞれ天井面材１９の端部及び床面材１６の端部と密着した状態にある。これにより、上突出部３８と天井面材１９の端部との間、及び下突出部４２と床面材１６の端部との間を通じた外気の出入りが抑制されており、ひいては上側横フレーム材３２ｂ（及び内壁材３１の上端部）と天井面材１９との間、及び下側横フレーム材３２ｃ（及び内壁材３１の下端部）と床面材１６との間を通じた外気の出入りが抑制されている。
【００４４】
なお、上述したように、内壁ユニット３０は横並びに複数設けられており、かかる横並び状態において隣り合う内壁ユニット３０の横フレーム材３２ｂ，３２ｃ同士は互いに当接又は近接した位置関係で配置されている。
【００４５】
内壁ユニット３０において下突出部４２の下端から上突出部３８の上端までの上下高さｈ２は、上述した内壁材３１の高さ寸法ｈ１よりも大きくなっており、具体的には内壁材３１の高さ寸法ｈ１よりも、上突出部３８の突出高さｈ３と下突出部４２の突出高さｈ４との和だけ大きくなっている（ｈ２＝ｈ１＋ｈ３＋ｈ４）。そして、この上下高さｈ２は、床面２６から天井面２９までの天井高さＨよりも大きくなっている。
【００４６】
また、上下高さｈ２から下突出部４２の突出高さｈ４を差し引いた寸法は天井高さＨよりも大きくなっている（ｈ２−ｈ４＞Ｈ）。これにより、内壁ユニット３０が、その下側横フレーム材３２ｃ（詳しくはその非突出領域４４）及び内壁材３１の下端部を床面材１６上に載置した状態で設置された場合に、上突出部３８の一部が天井面２９よりも上方に位置することとなり、天井面材１９端部への係止が可能となる。
【００４７】
さらに、上下高さｈ２から上突出部３８の突出高さｈ３を差し引いた寸法は天井高さＨよりも小さくなっている（ｈ２−ｈ３＜Ｈ）。これにより、内壁ユニット３０の設置に際し、同ユニット３０を持ち上げて上突出部３８を天井面材１９の屋外側端部の側方スペース（詳しくは天井面材１９端部と外壁フレーム２２の縦フレーム材２２ａとの間のスペース）に差し入れた場合に、下突出部４１を床面材１６（床面２６）よりも上方に位置させることが可能となる。
【００４８】
次に、内壁ユニット３０を設置する際の作業手順について図４に基づいて説明する。図４は、内壁ユニット３０の設置手順を説明するための説明図である。なおここでは、外壁パネル２０の外壁フレーム２２に木レンガ２５がすでに組み付けられていることを前提として説明を行う。
【００４９】
まず、図４（ａ）に示すように、内壁ユニット３０を、その上部が屋外側、その下部が屋内側となるように傾け、その傾け状態で上側横フレーム材３２ｂの上突出部３８を天井面材１９端部と外壁フレーム２２の縦フレーム材２２ａとの間に差し入れる。
【００５０】
続いて、図４（ｂ）に示すように、上突出部３８を天井面材１９の端部と縦フレーム材２２ａとの間に差し入れたまま、内壁ユニット３０を内壁フレーム３２が木レンガ２５に当接するまで下方に向かって回動させる。すなわち、上突出部３８を回動基端部として内壁ユニット３０を回動させる。この回動に際しては、途中から壁内断熱材３３の一部が内壁材３１と中間フレーム材２２ｃとの間に圧縮され、その圧縮された壁内断熱材３３の反発力により内壁ユニット３０が屋内側に押圧されるため、その屋内側への押圧に抗して内壁ユニット３０を回動させることとなる。そして、内壁ユニット３０の回動により、内壁フレーム３２が木レンガ２５に当接すると、内壁ユニット３０が直立状態となる。これにより、上突出部３８が天井面材１９の端部に当接し、下突出部４２が床面材１６よりも上方の高さ位置において同床面材１６の端部よりも屋外側に位置する。
【００５１】
次に、図４（ｃ）に示すように、内壁ユニット３０を下方に移動させ、同ユニット３０を床面材１６上に載置する。これにより、上突出部３８が天井面材１９の端部に当接し（係止され）、かつ、下突出部４２が床面材１６の端部に当接した（係止された）状態となる。この場合、内壁ユニット３０は、壁内断熱材３３の反発力によって屋内側に押圧されつつ、各突出部３８，４２により屋内側への移動が規制された状態となる。これにより、内壁ユニット３０が床面材１６上において自立する。
【００５２】
次に、自立状態にある内壁ユニット３０を木レンガ２５に固定する作業を行う。この作業は、内壁材３１の屋内側からタッピングネジ等を同内壁材３１及び内壁フレーム３２を貫通させて木レンガ２５に打ち付けることにより行う。これにより、内壁ユニット３０が固定され、同ユニット３０の設置作業が完了する。
【００５３】
以上、詳述した本実施形態の構成によれば、以下の優れた効果が得られる。
【００５４】
内壁ユニット３０（同ユニット３０は内壁材３１及び内壁フレーム３２を有してなる内壁パネルを含んで構成されている。）の上端部に、内壁材３１からその裏面側に延出し、一部が天井面材１９に対して係止される上側横フレーム材３２ｂを設け、内壁ユニット３０の下端部に、内壁材３１からその裏面側に延出し、一部が床面材１６に対して係止される下側横フレーム材３２ｃを設け、上側横フレーム材３２ｂ（具体的には上突出部３８）を天井面材１９に係止させ、かつ、下側横フレーム材３２ｃ（具体的には下突出部４２）を床面材１６に係止させることにより、内壁ユニット３０について屋内側への移動を規制した。この場合、内壁ユニット３０が壁内断熱材３３の反発力により屋内側に押圧されているにもかかわらず、内壁ユニット３０が屋内側に倒れ込むのを抑制でき、その結果内壁ユニット３０を所定の設置位置において自立させることが可能となる。これにより、内壁ユニット３０を自立させた状態で内壁ユニット３０の固定作業を行うことができ、その結果内壁ユニット３０の設置作業に際し作業性の改善を図ることができる。
【００５５】
上側横フレーム材３２ｂにおいて内壁材３１の上端よりも上方に突出する上突出部３８を天井面材１９に係止させ、かつ、下側横フレーム材３２ｃにおいて内壁材３１の下端よりも下方に突出する下突出部４２を床面材１６に係止させることにより、内壁ユニット３０の屋内側への移動を規制した。この場合、各突出部３８，４２をそれぞれ内壁材３１の上下端部に対して上方及び下方に大きく突出させる必要がないため、内壁ユニット３０に各係止部（詳しくは各突出部３８，４２）を設ける構成において下係止部（詳しくは下突出部４２）の下端から上係止部（詳しくは上突出部３８）の上端までの上下高さが大きくなるのを抑制できる。これにより、内壁ユニット３０の設置作業に際し、内壁ユニット３０の取り回しが煩雑となるのを抑制できる。
【００５６】
具体的には、上突出部３８を天井面材１９の端部に係止させ、かつ、下突出部４２を床面材１６の端部に係止させた。この場合、天井面材１９及び床面材１６にそれぞれ突出部３８，４２を挿し入れ係止させるための孔部（貫通孔部）等を加工形成しなくても、内壁ユニット３０の屋内側への移動を規制できる。そのため、比較的簡素な構成で上述した各効果を得ることができる。
【００５７】
上係止部を内壁フレーム３２の上側横フレーム材３２ｂにより構成し、下係止部を下側横フレーム材３２ｃにより構成した。この場合、各係止部を内壁フレーム３２の一部である横フレーム材３２ｂ，３２ｃとは別部材により構成する場合と比べ、構成の簡素化を図ることができる。
【００５８】
内壁材３１の幅方向に沿って延びる横フレーム材３２ｂ，３２ｃの長手方向に沿って突出部３８，４２を連続して形成し、その連続形成した上突出部３８を天井面材１９の端部に沿って当接させ、下突出部４２を床面材１６の端部に沿って当接させた。この場合、上突出部３８と天井面材１９端部とを、又は、下突出部４２と床面材１６端部とを内壁材３１の幅方向に沿って連続して密着させることができるため、内壁材３１の上端部と天井面材１９との間又は内壁材３１の下端部と床面材１６との間を通じた空気の出入りを抑制できる。よって、この場合気密性を高めることができる。
【００５９】
また、横フレーム材３２ｂ，３２ｃは内壁材３１の幅方向に延びているため、天井面材１９又は床面材１６に係止される部位を内壁材３１の幅方向に沿って連続して形成する際には都合がよい。
【００６０】
本発明は上記実施形態に限らず、例えば次のように実施されてもよい。
【００６１】
（１）上記実施形態では、各係止部を内壁フレーム３２の横フレーム材３２ｂ，３２ｃにより構成したが、その他の部材により構成してもよい。例えば、内壁ユニット３０（内壁パネル）が内壁フレーム３２を有しない構成である場合等には、内壁材３１の裏面に専用の係止部材（係止部に相当する部材）を設けてもよい。例えば、上記実施形態の横フレーム材３２ｂ，３２ｃと同じ断面形状を有してなる短尺状の係止部材を形成し、それを内壁材３１の幅方向に沿って所定間隔で複数設けることが考えられる。
【００６２】
また、上記実施形態では、係止部全体を横フレーム材３２ｂ，３２ｃにより構成したが、これを変更し、係止部において一部を横フレーム材により構成し残りの部分を別部材により構成してもよい。例えば、係止部において突出部以外の部分を横フレーム材により構成し、突出部を横フレーム材に別途専用部材を取り付けることで構成してもよい。
【００６３】
（２）上記実施形態では、突出部３８，４２を横フレーム材３２ｂ，３２ｃの長手方向に沿って連続して形成したが、これを変更し、突出部を横フレーム材３２ｂ，３２ｃの長手方向に沿って分散して形成してもよい。この場合でも、上突出部を天井面材１９に係止させ、かつ下突出部を床面材１６に係止させることで、内壁ユニット３０について屋内側への移動を規制できる。図５にはその一例として、上側横フレーム材３２ｂの長手方向に沿って上突出部４８が所定間隔で複数形成された構成が示されている。また、突出部を横フレーム材３２ｂ，３２ｃの両端部にのみ形成するようにしてもよい。
【００６４】
（３）上記実施形態では、上側横フレーム材３２ｂの上突出部３８を天井面材１９の端部に係止させ、かつ、下側横フレーム材３２ｃの下突出部４２を床面材１６の端部に係止させたが、これを変更してもよい。例えば、天井面材１９に上突出部３８を挿通させる挿通孔を形成し、かつ床面材１６に下突出部４２を挿通させる挿通孔を形成する。そして、天井面材１９の挿通孔に上突出部３８を挿通させることで係止させ、かつ、床面材１６の挿通孔に下突出部４２を挿通させることで係止させてもよい。
【００６５】
また、上記実施形態では、上突出部３８を天井面材１９に係止させたが、上突出部３８を天井面材１９よりも上方に設けられた野縁１８や天井梁１７等の天井下地材に係止させてもよい。この場合、上突出部３８の突出高さｈ３を内壁材３１の上端部に対する天井下地材の設置高さに応じて大きくする必要がある。
【００６６】
また、上記実施形態では、下突出部４２を床面材１６に係止させたが、下突出部４２を床面材１６よりも下方に設けられた床根太１５や床梁１４等の床下地材に係止させてもよい。この場合、下突出部４２の突出高さｈ４を内壁材３１の下端部に対する床下地材の設置高さに応じて大きくする必要がある。
【００６７】
（４）壁内断熱材３３の一部が、内壁ユニット３０（内壁パネル）の内壁材３１と外壁パネル２０の外壁材２１との間に圧縮状態で挟み込まれている場合にも本発明を適用できる。例えば、外壁パネル２０が外壁フレーム２２を有しない構成（つまり外壁材２１のみからなる構成）にあっては、このような状態が想定される。また、内壁材３１と外壁材２１との間に壁内断熱材３３全体が圧縮状態で挟み込まれている場合にも本発明を適用できる。さらには、壁内断熱材３３の一部が外壁パネル２０の外壁材２１と内壁パネルの内壁フレームとの間に圧縮状態で挟み込まれている場合にも本発明を適用できる。要するに、壁内断熱材３３の反発力により内壁パネルが屋内側に押圧されている構成であれば本発明を適用することができる。
【００６８】
（５）上記実施形態では、壁内断熱材３３が内壁パネル（内壁材３１及び内壁フレーム３２に相当）側に一体に設けられている場合について説明したが、壁内断熱材３３が外壁パネル２０側に一体に設けられている場合にも本発明を適用できる。この場合でも、内壁パネルと外壁パネル２０との間に壁内断熱材３３が配設されて、その少なくとも一部が各壁パネルの間に圧縮されて挟み込まれていれば、壁内断熱材３３の反発力により内壁パネルが屋内側に押圧されるため本発明を適用できる。
【００６９】
（６）屋内空間を複数の空間に仕切る間仕切壁の構成として、例えば対向配置される２つの内壁パネルと、それら各内壁パネルの間に配設される壁内断熱材とからなる構成が用いられることがある。かかる構成では、壁内断熱材の一部が各内壁パネルの間で圧縮され挟み込まれる場合が想定され、その場合、上記２つの内壁パネルのうち後付けされる側の内壁パネルを設置する際、壁内断熱材が圧縮されてその反発力により当該内壁パネルが押圧される可能性がある。その点を鑑みると、かかる後付けの内壁パネルに対し本発明の設置構造を適用してもよい。
【００７０】
（７）上記実施形態のように、外壁フレーム２２において壁内断熱材３３の高さ方向における中間位置に中間フレーム材２２ｃが設けられている構成では、壁内断熱材３３における高さ方向の中間部（以下、略して中間部という）が中間フレーム材２２ｃと内壁材３１との間で圧縮されることとなるため、壁内断熱材３３の反発力に起因した内壁ユニット３０に対する屋内側への押圧力が同ユニット３０の中間部に作用する。この場合、内壁ユニット３０は、その上下端部において各突出部３８，４２により屋内側への移動が規制されつつ、中間部において屋内側に押圧されることとなるため、内壁ユニット３０の中間部が屋内側にたわむことが想定される。そして、内壁ユニット３０のたわみに伴って、上突出部３８が下方に位置ずれし天井面材１９への係止状態が解除されたり、下突出部４２が上方に位置ずれし床面材１６への係止状態が解除されたりするおそれがあり、内壁ユニット３０を自立させることが困難になる可能性がある。そこで、この点に鑑みて、外壁パネル２０に、外壁材２１から壁内断熱材３３の上端部及び下端部のうちいずれかに向けて突出し内壁パネル（内壁材３１及び内壁フレーム３２）との間に壁内断熱材３３を圧縮状態で挟み込む断熱材端部挟み込み部材を設けてもよい。
【００７１】
例えば、外壁フレーム２２に、上記実施形態の中間フレーム材２２ｃに代えて又は加えて、壁内断熱材３３の上端部及び下端部に対応する高さ位置にそれぞれ中間フレーム材２２ｃを設けることが考えられる。この場合、壁内断熱材３３の上端部及び下端部が内壁材３１と中間フレーム材２２ｃとの間で圧縮されるため、壁内断熱材３３の反発力を同断熱材３３の上端部及び下端部で発生させることができる。そのため、内壁ユニット３０を上側横フレーム材３２ｂ（詳しくは上突出部３８）付近及び下側横フレーム材３２ｃ（下突出部４２）付近で屋内側に押圧することができ、その結果上突出部３８を天井面材１９に押し付ける押し付け力及び、下突出部４２を床面材１６に押し付ける押し付け力を高めることができる。よって、この場合上突出部３８及び下突出部４２の位置ずれを抑制する効果を期待できる。また、この場合、上突出部３８と天井面材１９端部との密着性、又は下突出部４２と床面材１６端部との間の密着性を高めることができるため、気密効果をより一層高めることもできる。
【００７２】
なお、壁内断熱材３３の上端部及び下端部に対応する各高さ位置のうちいずれか一方の高さ位置にのみ（断熱材端部挟み込み部材としての）中間フレーム材２２ｃを設けるようにしてもよい。また、中間フレーム材２２ｃは必ずしも断面コ字状である必要はなく、Ｌ字状や筒状等その他の断面形状を有して形成されていてもよい。また、断熱材端部挟み込み部材は必ずしも中間フレーム材２２ｃにより構成する必要はなく、例えば壁内断熱材３３の上端部及び下端部に対応する高さ位置において外壁材２１の裏面から壁内断熱材３３側に突出する突出部材を設け、その突出部材により断熱材端部挟み込み部材を構成してもよい。
【００７３】
さらに、断熱材端部挟み込み部材を、内壁ユニット３０側に設けてもよく、例えば壁内断熱材３３の上端部及び下端部に対応する高さ位置において内壁材３１の裏面から壁内断熱材３３側に突出する突出部材を設け、この突出部材と外壁パネル２０との間で壁内断熱材３３を圧縮状態で挟み込んでもよい。例えば、外壁パネル２０において中間フレーム材２２ｃを突出部材に対応する位置に配置し、当該中間フレーム材２２ｃと突出部材との間で壁内断熱材３３を挟み込むことが考えられる。この場合でも、壁内断熱材３３の反発力を同断熱材３３の上端部及び下端部で発生させることができ、その反発力によって内壁ユニット３０を上突出部３８付近及び下突出部４２付近で屋内側に押圧することができる。
【００７４】
（８）外壁パネル２０に、外壁フレーム２２から壁内断熱材３３側に突出し内壁ユニット３０の内壁材３１との間に壁内断熱材３３を圧縮状態で挟み込む挟み込み部材と、外壁フレーム２２からの挟み込み部材の突出量を変化させることで挟み込み部材による壁内断熱材３３の圧縮量を調整する圧縮量調整手段とを設けてもよい。その一例を図６に示す。図６では、外壁フレーム２２の中間フレーム材２２ｃに塩化ビニル樹脂からなる挟み込み部材５３が設けられている。挟み込み部材５３は、断面コ字状に形成された長尺状部材であり、その溝幅が中間フレーム材２２ｃの上下高さよりも若干小さくなっている。挟み込み部材５３は、中間フレーム材２２ｃに屋内側からはめ込まれており、その溝部が中間フレーム材２２ｃ（詳しくはその屋内側フランジ部）と嵌合されることにより取り付けられている。挟み込み部材５３は、かかる取付状態において、その一部が中間フレーム材２２ｃよりも屋内側に突出しており、内壁材３１との間に壁内断熱材３３を圧縮状態で挟み込んでいる。
【００７５】
挟み込み部材５３は、中間フレーム材２２ｃに対する取付位置が屋内外方向（内壁材３１の厚み方向）に可変とされている。すなわち、この場合中間フレーム材２２ｃからの挟み込み部材５３の突出量が可変とされており、かかる突出量を変化させることにより、壁内断熱材３３の圧縮量を調整可能となっている。かかる構成によれば、例えば壁内断熱材３３の圧縮量を増大させることにより壁内断熱材３３の反発力を高め、これにより内壁ユニット３０に作用する屋内側への押圧力を高めることができる。この場合、天井面材１９と上突出部３８との密着性及び、床面材１６と下突出部４２との密着性を高めることができ、気密性能の向上を図ることができる。
【００７６】
（９）例えば、係止部としての横フレーム材３２ｂ（３２ｃ）の突出部３８（４２）に、その長手方向に貫通して延び、内部に配線を通すことが可能な配線通路部を設けてもよい。図７では、上側横フレーム材３２ｂの突出部３８にかかる配線通路部５１が設けられている。この場合、外壁材２１と内壁材３１との間の壁内に配線Ｋを通すに際し、この配線通路部５１に配線Ｋを通すことができる。そのため、壁内断熱材３３の近くに配線Ｋを通すことで壁内断熱材３３が当該配線Ｋにより傷付く等の不都合が発生するのを防止できる。
【００７７】
（１０）上記実施形態では、ユニット式建物への適用例を説明したが、鉄骨軸組工法により構築される建物や、在来木造工法により構築される建物等、他の構造の建物にも本発明を適用することができる。
【符号の説明】
【００７８】
１０…建物、１４…床下地材としての床梁、１５…床下地材としての床根太、１６…床面材、１７…天井下地材としての天井梁、１８…天井下地材としての野縁、１９…天井面材、２０…壁パネルとしての外壁パネル、２１…壁面材としての外壁材、３０…内壁ユニット、３１…壁面材としての内壁材、３２…内壁フレーム、３２ｂ…上係止部としての上側横フレーム材、３２ｃ…下係止部としての下側横フレーム材、３３…壁内断熱材、３８…上突出部、４２…下突出部。
【図１】
0005694031.tif 000002
【図２】
0005694031.tif 000003
【図３】
0005694031.tif 000004
【図４】
0005694031.tif 000005
【図５】
0005694031.tif 000006
【図６】
0005694031.tif 000007
【図７】
0005694031.tif 000008